(57)【要約】【課題】端末装置に複数の空気調和機が登録されている場合、空気調和機から供給された空調情報を端末装置の表示画面に表示しただけでは、どの空気調和機から空調情報が供給されたのかユーザが判断できない。【解決手段】空気調和機から端末装置４に空調情報が供給された場合に、空調情報を供給した空気調和機に対応した空気調和機の識別情報７４が、空調情報が供給されたことを通知する通知情報７３とともに表示画面５１に表示される。【選択図】図５
2015075307.tif 000002
【特許請求の範囲】
【請求項１】
空気調和機から空調情報が供給され得る端末装置であって、
複数の空気調和機にそれぞれ対応した複数の空気調和機の識別情報を記憶する記憶手段と、
空気調和機から空調情報が供給された場合に、前記複数の空気調和機の識別情報の中から空調情報を供給した空気調和機に対応した識別情報を選択する選択手段と、
前記選択手段で選択された識別情報を、空調情報が供給されたことを通知する通知情報とともに表示画面に表示する表示手段とを備えることを特徴とする端末装置。
【請求項２】
前記表示手段は、
前記記憶手段に記憶された複数の空気調和機の識別情報を表示画面に表示するとともに、
空気調和機から空調情報が供給された場合に、表示画面に表示された複数の空気調和機の識別情報のうち前記選択手段で選択された識別情報の表示位置に前記通知情報を表示することを特徴とする請求項１に記載の端末装置。
【請求項３】
前記記憶手段は、前記複数の空気調和機の識別情報を複数の第１画像情報として記憶しており、
前記選択手段は、前記複数の第１画像情報の中から空調情報を供給した空気調和機に対応した第１画像情報を選択するものであり、
前記表示手段は、
前記記憶手段に記憶された複数の第１画像情報を表示画面に表示するとともに、
空気調和機から空調情報が供給された場合に、表示画面に表示された複数の第１画像情報のうち前記選択手段で選択された第１画像情報の表示位置に前記通知情報に対応した第２画像情報を表示することを特徴とする請求項２に記載の端末装置。
【請求項４】
コンピュータを、
複数の空気調和機にそれぞれ対応した複数の空気調和機の識別情報を記憶する記憶手段と、
空気調和機から空調情報が供給された場合に、前記複数の空気調和機の識別情報の中から空調情報を供給した空気調和機に対応した識別情報を選択する選択手段と、
前記選択手段で選択された識別情報を、空調情報が供給されたことを通知する通知情報とともに表示画面に表示する表示手段として機能させることを特徴とするプログラム。
【請求項５】
空気調和機から空調情報が供給され得る端末装置であって、
１または複数の空気調和機が属する複数のグループにそれぞれ対応した複数のグループの識別情報を記憶する第１記憶手段と、
空気調和機から空調情報が供給された場合に、前記複数のグループの識別情報の中から空調情報を供給した空気調和機が属するグループに対応した識別情報を選択する第１選択手段と、
前記第１選択手段で選択された識別情報を、空調情報が供給されたことを通知する通知情報とともに表示画面に表示する表示手段とを備えることを特徴とする端末装置。
【請求項６】
前記表示手段は、
前記第１記憶手段に記憶された複数のグループの識別情報を表示画面に表示するとともに、
空気調和機から空調情報が供給された場合に、表示画面に表示された複数のグループの識別情報のうち前記第１選択手段で選択された識別情報の表示位置に前記通知情報を表示することを特徴とする請求項５に記載の端末装置。
【請求項７】
表示画面に表示された表示内容を操作する操作部と、
前記複数のグループにそれぞれ属する１または複数の空気調和機にそれぞれ対応した１または複数の空気調和機の識別情報を記憶する第２記憶手段と、
前記第１選択手段で選択されたグループの識別情報に対応するグループに属する１または複数の空気調和機の識別情報の中から、空調情報を供給した空気調和機に対応した識別情報を選択する第２選択手段とを備え、
前記表示手段は、
表示画面に表示された複数のグループの識別情報の中から前記第１選択手段で選択されたグループの識別情報が前記操作部によって操作された場合に、そのグループの識別情報に対応するグループに属する１または複数の空気調和機の識別情報を表示画面に表示するとともに、
表示画面に表示された１または複数の空気調和機の識別情報のうち前記第２選択手段で選択された空気調和機の識別情報の表示位置に前記通知情報を表示することを特徴とする請求項６に記載の端末装置。
【請求項８】
コンピュータを、
１または複数の空気調和機が属する複数のグループにそれぞれ対応した複数のグループの識別情報を記憶する第１記憶手段と、
空気調和機から空調情報が供給された場合に、前記複数のグループの識別情報の中から空調情報を供給した空気調和機が属するグループに対応した識別情報を選択する第１選択手段と、
前記第１選択手段で選択された識別情報を、空調情報が供給されたことを通知する通知情報とともに表示画面に表示する表示手段として機能させることを特徴とするプログラム。
【発明の詳細な説明】
【技術分野】
【０００１】
本発明は、空気調和機から空調情報が供給され得る端末装置及びプログラムに関する。
【背景技術】
【０００２】
従来の端末装置として、空気調和機などの複数の機器と情報通信が可能なものがある。
【先行技術文献】
【特許文献】
【０００３】
【特許文献１】特開２０１３−９８８２１号公報
【発明の概要】
【発明が解決しようとする課題】
【０００４】
上記のような端末装置を使用して空気調和機と情報通信する場合、空気調和機から空調情報を受け取って使用者に知らせることが考えられる。ここでいう空調情報とは、例えば室内が高温状態や高湿状態であることを示す空調空間情報や、人が検知されない状態で且つ空気調和機の運転が所定の不在時間だけ継続された場合に、室内に人がいないことを示す不在情報などがある。しかし、端末装置に複数の空気調和機が登録されている場合、空気調和機から供給された空調情報を端末装置の表示画面に表示しただけでは、どの空気調和機から空調情報が供給されたのかユーザが判断できない問題がある。また、複数の空気調和機が複数のグループに分類されて登録されている場合、空気調和機から供給された空調情報を端末装置の表示画面に表示しただけでは、どのグループに属する空気調和機から空調情報が供給されたのかユーザが判断できない問題がある。
【０００５】
そこで、本発明の目的は、空気調和機から空調情報が供給された場合に、空調情報を供給した空気調和機を識別できる端末装置及びプログラム、及び／又は、空気調和機から空調情報が供給された場合に、空調情報を供給した空気調和機が属するグループを識別できる端末装置及びプログラムを提供することである。
【課題を解決するための手段】
【０００６】
第１の発明にかかる端末装置は、空気調和機から空調情報が供給され得る端末装置であって、複数の空気調和機にそれぞれ対応した複数の空気調和機の識別情報を記憶する記憶手段と、空気調和機から空調情報が供給された場合に、前記複数の空気調和機の識別情報の中から空調情報を供給した空気調和機に対応した識別情報を選択する選択手段と、前記選択手段で選択された識別情報を、空調情報が供給されたことを通知する通知情報とともに表示画面に表示する表示手段とを備えることを特徴とする。
【０００７】
第４の発明にかかるプログラムは、コンピュータを、複数の空気調和機にそれぞれ対応した複数の空気調和機の識別情報を記憶する記憶手段と、空気調和機から空調情報が供給された場合に、前記複数の空気調和機の識別情報の中から空調情報を供給した空気調和機に対応した識別情報を選択する選択手段と、前記選択手段で選択された識別情報を、空調情報が供給されたことを通知する通知情報とともに表示画面に表示する表示手段として機能させることを特徴とする。
【０００８】
この端末装置およびプログラムでは、複数の空気調和機が端末装置に登録されている場合において、空気調和機から空調情報が供給された場合に、空調情報を供給した空気調和機に対応した空気調和機の識別情報が、空調情報が供給されたことを通知する通知情報とともに端末装置の表示画面に表示されるので、空気調和機から空調情報が供給された場合に、空調情報を供給した空気調和機をユーザが識別できる。
【０００９】
第２の発明にかかる端末装置では、第１の発明にかかる端末装置において、前記表示手段は、前記記憶手段に記憶された複数の空気調和機の識別情報を表示画面に表示するとともに、空気調和機から空調情報が供給された場合に、表示画面に表示された複数の空気調和機の識別情報のうち前記選択手段で選択された識別情報の表示位置に前記通知情報を表示することを特徴とする。
【００１０】
この端末装置では、複数の空気調和機の識別情報が一覧表示されるとともに、空調情報を供給した空気調和機に対応した空気調和機の識別情報の表示位置に通知情報が表示されるので、空調情報を供給した空気調和機を識別しやすい。
【００１１】
第３の発明にかかる端末装置では、第２の発明にかかる端末装置において、前記記憶手段は、前記複数の空気調和機の識別情報を複数の第１画像情報として記憶しており、前記選択手段は、前記複数の第１画像情報の中から空調情報を供給した空気調和機に対応した第１画像情報を選択するものであり、前記表示手段は、前記記憶手段に記憶された複数の第１画像情報を表示画面に表示するとともに、空気調和機から空調情報が供給された場合に、表示画面に表示された複数の第１画像情報のうち前記選択手段で選択された第１画像情報の表示位置に前記通知情報に対応した第２画像情報を表示することを特徴とする。
【００１２】
この端末装置では、複数の空気調和機の識別情報が画像情報として一覧表示されるとともに、空調情報を供給した空気調和機に対応する画像情報の表示位置に通知情報に対応した画像情報が表示されるので、空調情報を供給した空気調和機を識別しやすい。
【００１３】
第５の発明にかかる端末装置では、空気調和機から空調情報が供給され得る端末装置であって、１または複数の空気調和機が属する複数のグループにそれぞれ対応した複数のグループの識別情報を記憶する第１記憶手段と、空気調和機から空調情報が供給された場合に、前記複数のグループの識別情報の中から空調情報を供給した空気調和機が属するグループに対応した識別情報を選択する第１選択手段と、前記第１選択手段で選択された識別情報を、空調情報が供給されたことを通知する通知情報とともに表示画面に表示する表示手段とを備えることを特徴とする。
【００１４】
第８の発明にかかるプログラムでは、コンピュータを、１または複数の空気調和機が属する複数のグループにそれぞれ対応した複数のグループの識別情報を記憶する第１記憶手段と、空気調和機から空調情報が供給された場合に、前記複数のグループの識別情報の中から空調情報を供給した空気調和機が属するグループに対応した識別情報を選択する第１選択手段と、前記第１選択手段で選択された識別情報を、空調情報が供給されたことを通知する通知情報とともに表示画面に表示する表示手段として機能させることを特徴とする。
【００１５】
この端末装置およびプログラムでは、１または複数の空気調和機が属する複数のグループが端末装置に登録されている場合において、空気調和機から空調情報が供給された場合に、空調情報を供給した空気調和機が属するグループに対応したグループの識別情報が、空調情報が供給されたことを通知する通知情報とともに端末装置の表示画面に表示されるので、空気調和機から空調情報が供給された場合に、空調情報を供給した空気調和機が属するグループをユーザが識別できる。
【００１６】
第６の発明にかかる端末装置では、第５の発明にかかる端末装置において、前記表示手段は、前記第１記憶手段に記憶された複数のグループの識別情報を表示画面に表示するとともに、空気調和機から空調情報が供給された場合に、表示画面に表示された複数のグループの識別情報のうち前記第１選択手段で選択された識別情報の表示位置に前記通知情報を表示することを特徴とする。
【００１７】
この端末装置では、複数のグループの識別情報が一覧表示されるとともに、空調情報を供給した空気調和機が属するグループに対応したグループの識別情報の表示位置に通知情報が表示されるので、空調情報を供給した空気調和機が属するグループを識別しやすい。
【００１８】
第７の発明にかかる端末装置では、第６の発明にかかる端末装置において、表示画面に表示された表示内容を操作する操作部と、前記複数のグループにそれぞれ属する１または複数の空気調和機にそれぞれ対応した１または複数の空気調和機の識別情報を記憶する第２記憶手段と、前記第１選択手段で選択されたグループの識別情報に対応するグループに属する１または複数の空気調和機の識別情報の中から、空調情報を供給した空気調和機に対応した識別情報を選択する第２選択手段とを備え、前記表示手段は、表示画面に表示された複数のグループの識別情報の中から前記第１選択手段で選択されたグループの識別情報が前記操作部によって操作された場合に、そのグループの識別情報に対応するグループに属する１または複数の空気調和機の識別情報を表示画面に表示するとともに、表示画面に表示された１または複数の空気調和機の識別情報のうち前記第２選択手段で選択された空気調和機の識別情報の表示位置に前記通知情報を表示することを特徴とする。
【００１９】
この端末装置では、空調情報を供給した空気調和機が属するグループの識別情報に対応した操作部が操作されることによって、そのグループに属する空気調和機の識別情報が一覧表示されるとともに、空調情報を供給した空気調和機に対応する空気調和機の識別情報の表示位置に通知情報が表示されるので、グループ内のどの空気調和機から空調情報が供給されたか識別できる。
【発明の効果】
【００２０】
以上の説明に述べたように、本発明によれば、以下の効果が得られる。
【００２１】
第１及び第４の発明では、複数の空気調和機が端末装置に登録されている場合において、空気調和機から空調情報が供給された場合に、空調情報を供給した空気調和機に対応した空気調和機の識別情報が、空調情報が供給されたことを通知する通知情報とともに端末装置の表示画面に表示されるので、空気調和機から空調情報が供給された場合に、空調情報を供給した空気調和機をユーザが識別できる。
【００２２】
第２の発明では、複数の空気調和機の識別情報が一覧表示されるとともに、空調情報を供給した空気調和機に対応した空気調和機の識別情報の表示位置に通知情報が表示されるので、空調情報を供給した空気調和機を識別しやすい。
【００２３】
第３の発明では、複数の空気調和機の識別情報が画像情報として一覧表示されるとともに、空調情報を供給した空気調和機に対応する画像情報の表示位置に通知情報に対応した画像情報が表示されるので、空調情報を供給した空気調和機を識別しやすい。
【００２４】
第５及び第８の発明では、１または複数の空気調和機が属する複数のグループが端末装置に登録されている場合において、空気調和機から空調情報が供給された場合に、空調情報を供給した空気調和機が属するグループに対応したグループの識別情報が、空調情報が供給されたことを通知する通知情報とともに端末装置の表示画面に表示されるので、空気調和機から空調情報が供給された場合に、空調情報を供給した空気調和機が属するグループをユーザが識別できる。
【００２５】
第６の発明では、複数のグループの識別情報が一覧表示されるとともに、空調情報を供給した空気調和機が属するグループに対応したグループの識別情報の表示位置に通知情報が表示されるので、空調情報を供給した空気調和機が属するグループを識別しやすい。
【００２６】
第７の発明では、空調情報を供給した空気調和機が属するグループの識別情報に対応した操作部が操作されることによって、そのグループに属する空気調和機の識別情報が一覧表示されるとともに、空調情報を供給した空気調和機に対応する空気調和機の識別情報の表示位置に通知情報が表示されるので、グループ内のどの空気調和機から空調情報が供給されたか識別できる。
【図面の簡単な説明】
【００２７】
【図１】本発明の実施形態に係る端末装置および空気調和機を備えた空調ユニットの構成を示す図である。
【図２】図１に示す空気調和機の冷媒回路を示す回路図である。
【図３】図１に示す空気調和機の制御部を説明する図である。
【図４】室内温度および室内湿度が所定範囲外であるか否かを判断する判定図である。
【図５】空調情報が供給されたことを通知する通知情報と、空調情報を供給した空気調和機に対応した空気調和機の識別情報とが表示された表示画面を示す図である。
【図６】空調情報が供給されたことを通知する通知情報と、複数のグループの識別情報とが表示される画面を表示させるための操作を説明した図である。
【図７】空調情報が供給されたことを通知する通知情報と、複数のグループの識別情報とが表示される画面を表示させるための操作の続き、およびその画面が表示された表示画面を示す図である。
【図８】空調情報が供給されたことを通知する通知情報と、グループ内の空気調和機の識別情報とが表示される画面を表示させるための操作、およびその画面が表示された表示画面を示す図である。
【図９】空調情報の内容確認操作、および端末装置での空気調和機の運転設定の変更操作を説明した図である。
【図１０】グループ内の空気調和機の識別情報と通知情報とが表示された画面を表示させるための操作およびその画面が表示された表示画面を示す図である。
【図１１】第１変形例にかかる端末装置の図６（ｃ）相当図である。
【図１２】第２変形例にかかる端末装置の図６（ｃ）相当図である。
【発明を実施するための形態】
【００２８】
以下、本発明の実施形態に係る空調ユニットについて説明する。
【００２９】
＜空調ユニットの全体構成＞
図１に示すように、本実施形態の空調ユニットは、複数の空気調和機１ａ−１ｄと端末装置４とを有している。この端末装置４は、例えばスマートファンなどの液晶端末であって、ネットワークを介して複数の空気調和機１ａ−１ｄの各空調制御部３０と情報通信が可能である。
【００３０】
図１に示すように、複数の空気調和機１ａ−１ｄは、例えば複数の住居に配置される。例えば空気調和機１ａ、１ｂは住居Ａに配置され、空気調和機１ｃは住居Ｂに配置され、空気調和機１ｄは住居Ｃに配置される。そして、この空調ユニットでは、３つの住居Ａ−Ｃに配置される空気調和機１ａ−１ｄからの空調情報がユーザの端末装置４に供給され得る。空調情報とは、例えば室内が高温状態や高湿状態であることを示す空調空間情報や、人が検知されない状態で且つ空気調和機の運転が所定の不在時間だけ継続された場合に、室内に人がいないことを示す不在情報などである。したがって、ユーザは、例えば外出時であっても、端末装置４により空気調和機１ａ−１ｄからの空調情報を知得することができる。以下、空気調和機の構成について説明するが、空気調和機１ａ−１ｄは全て同様の構成を有するので、空気調和機１ａの構成についてのみ説明し、その他空気調和機１ｂ−１ｄの構成は説明を省略する。
【００３１】
＜空気調和機の構成＞
図２に示すように、空気調和機１ａは、室内機２及び室外機３を有し、圧縮機１０と、四方弁１１と、室外熱交換器１２と、膨張弁（減圧機構）１３と、室内熱交換器１４とを接続した冷媒回路を有している。冷媒回路において、圧縮機１０の吐出口に四方弁１１を介して室外熱交換器１２が接続され、その室外熱交換器１２に膨張弁１３が接続される。そして、膨張弁１３に室内熱交換器１４の一端が接続され、その室内熱交換器１４の他端に四方弁１１を介して圧縮機１０の吸込口が接続される。
【００３２】
空気調和機１ａは、例えば自動運転、冷房運転、暖房運転、除湿運転及び送風運転のいずれかの運転が可能であって、空気調和機１ａに付属されたコントローラや、ユーザの端末装置によって、いずれかの運転を選択して運転開始操作を行ったり、運転切換操作や運転停止操作を行ったりすることができる。
【００３３】
冷房運転および除湿運転では、図示実線矢印で示すように、圧縮機１０から吐出された冷媒が四方弁１１から室外熱交換器１２、膨張弁１３、室内熱交換器１４へと順に流れ、室内熱交換器１４を経た冷媒が四方弁１１を通って圧縮機１０に戻る冷房サイクルまたは除湿サイクルが形成される。すなわち、室外熱交換器１２が凝縮器、室内熱交換器１４が蒸発器として機能する。
【００３４】
一方、暖房運転では、四方弁１１が切換わることにより、図示破線矢印で示すように、圧縮機１０から吐出される冷媒が四方弁１１から室内熱交換器１４、膨張弁１３、室外熱交換器１２へと順に流れ、室外熱交換器１２を経た冷媒が四方弁１１を通って圧縮機１０に戻る暖房サイクルが形成される。すなわち、室内熱交換器１４が凝縮器、室外熱交換器１２が蒸発器として機能する。
【００３５】
室内機２内には、室内熱交換器１４に対向した室内ファン１６が配置される。室内機２の吹出口には、上下方向について吹き出し方向を変更する上下フラップ１７が配置される。そして、図２に示すように、室内機２に、室内温度を検出する室内温度センサ２１と、室内湿度を検出する室内湿度センサ２２が取り付けられる。また、室内機２は、室内にいる人を検知する人検知センサ２５を有している。
【００３６】
図３に示すように、空気調和機１ａは、空調制御部３０を有している。空調制御部３０には、空気調和機１ａに係る各種動作の制御プログラムやデータなどが格納されたＲＯＭ、空気調和機１ａの各部の動作を制御する信号を生成するために各種演算を実行するＣＰＵ、各種設定やＣＰＵでの演算結果などのデータを一時保管するＲＡＭなどの部材が含まれている。また、この空調制御部３０には、圧縮機１０と、四方弁１１と、膨張弁１３と、室内ファン１６を駆動するモータ１６ａと、上下フラップ１７を駆動するモータ１７ａと、室内温度センサ２１と、室内湿度センサ２２と、人検知センサ２５と、空気調和機１ａに付属されたコントローラ２８とが接続されている。また、空気調和機１ａの空調制御部３０は、ユーザの端末装置４から供給された運転変更命令に基づいて空気調和機１ａの運転を変更する。ユーザの端末装置４は、ネットワークを介して、空気調和機１ａに対して運転変更命令（運転開始操作、運転停止操作、室内温度の設定温度等）を供給することができる。したがって、空調制御部３０は、コントローラ２８やユーザの端末装置４からの指令（運転開始操作、運転停止操作、室内温度の設定温度等）や、室内温度センサ２１で検知される室内温度や、室内湿度センサ２２で検知される室内湿度に基づいて、空気調和機１ａの運転を制御する。このように、本実施形態の空気調和機１ａは、コントローラ２８からの指令（運転開始操作、運転停止操作、室内温度の設定温度等）に基づいて運転状態が変更されるだけでなく、ユーザの端末装置４から供給される運転変更命令（運転開始操作、運転停止操作、室内温度の設定温度等）に基づいて運転状態が変更されるものである。
【００３７】
ここで、コントローラ２８には、モード切換部が設けられている。モード切換部により、空気調和機１ａの高温防止モードを、強制運転モード、お知らせモード及び切のいずれかに切り換えることができる。本実施形態の空気調和機１ａでは、高温防止モードが切に切り換えられた場合、不在お知らせモードが設定される。
【００３８】
したがって、本実施形態の空気調和機１ａでは、モード切換部によって、強制運転モード、お知らせモード及び不在お知らせモード（高温防止モードの切）のいずれかが設定される。よって、空気調和機１ａにおいて、強制運転モードでの運転と、お知らせモードでの運転と、不在お知らせモードでの運転とは同時に行われることはない。
【００３９】
強制運転モードでは、室内温度センサ２１で検出された室内温度及び室内湿度センサ２２で検出された室内湿度が所定範囲外（高温ゾーン）である場合に、室内温度及び室内湿度に基づいて、強制運転が自動的に開始される。したがって、強制運転モードに切り換えた場合、室内が高温状態や高湿状態になったときに、ユーザがコントローラ２８や端末装置４によって運転開始操作を行わなかった場合でも、強制運転が自動的に開始されて、室内温度及び室内湿度が低下する。
【００４０】
お知らせモードでは、室内温度センサ２１で検出された室内温度及び室内湿度センサ２２で検出された室内湿度が所定範囲外（高温ゾーン）である場合に、室内温度及び室内湿度に基づいて、運転開始を促す報知が自動的に行われる。運転開始を促す報知としては、例えば、「室内が高温になっています。冷房運転を開始してください。」という内容が、室内機２から音声で報知されたり、室内機２の表示部に表示される。
【００４１】
本実施形態の空気調和機１ａでは、強制運転モードにおいて強制運転が自動的に行われた場合に、室内が高温状態や高湿状態であることを示す空調空間情報（空調情報）がユーザの端末装置４に供給される。この場合の空調空間情報としては、例えば、「室内が高温になっています。冷房運転を開始しました。」という内容が、ユーザの端末装置４に供給され、端末装置４の表示画面５１に表示される。また、お知らせモードにおいて運転開始を促す報知が自動的に行われた場合に、室内が高温状態や高湿状態であることを示す空調空間情報（空調情報）がユーザの端末装置４に供給される。この場合の空調空間情報としては、例えば、「室内が高温になっています。冷房運転を開始してください。」という内容が、ユーザの端末装置４に供給され、端末装置４の表示画面５１に表示される。また、お知らせモードにおいて運転開始を促す報知が自動的に行われた後、空気調和機１ａの運転が開始されないで、室内が高温状態や高湿状態でなくなった場合、室内が高温状態や高湿状態でなくなったことを示す解除情報（空調情報）がユーザの端末装置４に供給される。この場合の解除情報としては、例えば、「室内の温度が下がりました。冷房運転を開始する必要がありません。」という内容が、ユーザの端末装置４に供給され、端末装置４の表示画面５１に表示される。
【００４２】
不在お知らせモードでは、人検知センサ２５によって人が検知されない状態で、かつ、空気調和機１ａの運転が所定の不在時間だけ継続された場合に、室内に人がいないことを示す不在情報（空調情報）をユーザの端末装置４に供給する。本実施形態の空気調和機１ａでは、不在お知らせモードにおいて不在情報がユーザの端末装置４に供給された場合、不在情報として、例えば、「室内に人がいない状態で空気調和機が運転されています。」という内容が、ユーザの端末装置４に供給され、端末装置４の表示画面５１に表示される。
【００４３】
空気調和機１ａでは、強制運転モードにおいて強制運転を開始するかを判定する場合や、お知らせモードにおいて報知を開始するかを判定する場合に、室内温度及び室内湿度についての判定図が使用される。判定図は、図４に示すように、縦軸は室内湿度（相対湿度）を示し、横軸は室内温度を示している。
【００４４】
図４は、判定図の一例であるが、この判定図には、高温ゾーン（所定範囲外）と、待機ゾーン（所定範囲内）とが設定される。高温ゾーンは、室内が高温状態や高湿状態であって、室内温度や室内湿度を低下させる必要がある領域である。待機ゾーンは、室内温度や室内湿度を低下させる必要がない領域である。
【００４５】
図４の判定図において、Ａ点〜Ｃ点は、下記の室内温度及び室内湿度である点を示す。
・Ａ点：室内温度が２７度であり、室内湿度が１００％である点
・Ｂ点：室内温度が２７度であり、室内湿度が７０〜８０％の間のｙ１である点
・Ｃ点：室内温度が３３度であり、室内湿度が３０％である点
【００４６】
そして、Ａ点とＢ点とＣ点を接続した線ｌ１が、高温ゾーンと待機ゾーンの間の線である。したがって、図４の判定図に示すように、待機ゾーンは、線ｌ１の左下の領域であって、高温ゾーンは、線ｌ１の右上の領域（室内温度及び室内湿度が線ｌ１上にある場合を含む）である。
【００４７】
＜端末装置の構成＞
端末装置４は、図１に示すように、制御部４０を有している。制御部４０には、端末装置４に係る各種動作の制御プログラムやデータなどが格納されたＲＯＭ、端末装置４の各部の動作を制御する信号を生成するために各種演算を実行するＣＰＵ、各種設定やＣＰＵでの演算結果などのデータを一時保管するＲＡＭなどの部材が含まれている。これら各種部材およびソフトウェアによって、図１に示すように、記憶部４１と、選択部４２と、表示部４３と、操作検知部４４、位置情報取得部４５とが形成されている。また、制御部４０は、表示画面５１と、例えば表示画面５１に表示される操作部５２と、空気調和機１ａ−１ｄの空調制御部３０と情報通信が可能な通信部５３とに接続されている。      
【００４８】
記憶部４１（記憶手段、第１記憶手段、第２記憶手段）は、例えば複数の空気調和機１ａ−１ｄにそれぞれ対応した複数の空気調和機の識別情報や、複数の空気調和機１ａ−１ｄが属する１または複数のグループにそれぞれ対応したグループの識別情報（例えばログインＩＤ）を記憶する。また、例えば空気調和機から端末装置に空調情報が供給されたことを通知する通知情報を記憶する。
【００４９】
空気調和機の識別情報は、例えば文字情報や画像情報（第１画像情報）として記憶される。文字情報としては、例えば空気調和機１ａの場合「リビングエアコン」と記憶され、空気調和機１ｂの場合「寝室エアコン」と記憶される。また、空気調和機１ｃの場合「Ｂ宅エアコン」と記憶され、空気調和機１ｄの場合「Ｃ宅エアコン」と記憶される。また、画像情報（第１画像情報）としては、例えば図８（ｃ）に示すように、上記した文字情報と室内機の模式画像とを組み合わせたビジュアルアイコンとして記憶される。例えば、空気調和機１ａの場合、図８（ｃ）に示すように、室内機の模式画像とその下に付された「リビングエアコン」とを組み合わせたビジュアルアイコンとして記憶される。なお、この空気調和機の識別情報は、例えばユーザが端末装置４に空気調和機を登録する際に設定可能であり、ユーザは空気調和機の識別情報を任意の名称に設定できる。ただし、空気調和機の識別情報は、端末装置４によって自動的に決定されてもよい。
【００５０】
グループの識別情報（以下、ログインＩＤとも称する）は、例えば文字情報として記憶される。４つの空気調和機１ａ−１ｄが、例えば住居Ａ−Ｃに対応する３つのグループに分類される場合において、例えば空気調和機１ａ、１ｂが属する住居Ａに対応するグループのログインＩＤは「０００１」と記憶され、空気調和機１ｃが属する住居Ｂに対応するグループのログインＩＤは「０００２」と記憶され、空気調和機１ｄが属する住居Ｃに対応するグループのログインＩＤは「０００３」と記憶される。グループの分類は、例えばユーザが端末装置４に空気調和機を登録する際に設定可能であり、ユーザは登録した複数の空気調和機を１又は複数のグループに分類できる。なお、ログインＩＤは、端末装置４によって自動的に決定される。ただし、ユーザがログインＩＤの名称を任意の名称に設定できてもよい。
【００５１】
空調情報が供給されたことを通知する通知情報は、例えば文字情報や画像情報（第２画像情報）として記憶される。文字情報としては、例えば「エアコンからのお知らせ」というフレーズや、新しいお知らせがあることを示す「（Ｎ）」という記号として記憶される。また、画像情報（第２画像情報）としては、例えば図８（ｃ）に示すように、丸（○）の内部にＮが付されたマーク（以下、Ｎマーク）として記憶される。
【００５２】
選択部４２（選択手段、第１選択手段、第２選択手段）は、例えば空気調和機１ａ−１ｄの少なくとも１つから空調情報が供給された場合に、複数の空気調和機の識別情報の中から空調情報を供給した空気調和機に対応した空気調和機の識別情報を選択する。また、例えば空気調和機１ａ−１ｄの少なくとも１つから空調情報が供給された場合に、複数のグループの識別情報（ログインＩＤ）の中から空調情報を供給した空気調和機が属するグループに対応したグループの識別情報（ログインＩＤ）を選択する。また、例えば選択されたグループの識別情報（ログインＩＤ）に対応するグループに属する１または複数の空気調和機の中から、空調情報を供給した空気調和機に対応した空気調和機の識別情報を選択する。一例として、空気調和機１ａから空調情報が供給された場合について説明する。この場合、選択部４２は、４つの空気調和機１ａ−１ｄにそれぞれ対応する４つの空気調和機の識別情報（例えば「リビングエアコン」、「寝室エアコン」、「Ｂ宅エアコン」、「Ｃ宅エアコン」）の中から空気調和機１ａに対応した空気調和機の識別情報「リビングエアコン」を選択したり、４つの空気調和機１ａ−１ｄが分類された３つのグループの中から空気調和機１ａが属するグループに対応したログインＩＤ「０００１」を選択したり、選択されたログインＩＤ「０００１」に対応するグループに属する２つの空気調和機１ａ、１ｂの識別情報の中から、空調情報を供給した空気調和機１ａに対応した空気調和機の識別情報を選択したりする。
【００５３】
表示部４３（表示手段）は、例えば空気調和機１ａ−１ｄの少なくとも１つから空調情報が供給された場合に、空調情報を供給した空気調和機に対応する空気調和機の識別情報を、空調情報が供給されたことを通知する通知情報とともに表示画面５１に表示する。例えば、空気調和機１ａから空調情報が供給された場合、図５（ｂ）に示すように、空調情報を供給した空気調和機１ａに対応する空気調和機の識別情報７４「リビングエアコン」を、空調情報が供給されたことを通知する通知情報７３「エアコンからのお知らせ」とともに表示画面５１に表示する。また、この表示部４３は、例えば空気調和機１ａ−１ｄの少なくとも１つから空調情報が供給された場合に、複数のグループの識別情報（ログインＩＤ）の全てを表示画面５１に表示するとともに、表示画面５１に表示された複数のグループの識別情報（ログインＩＤ）のうち空調情報を供給した空気調和機が属するグループに対応したグループの識別情報（ログインＩＤ）の表示位置に、空調情報が供給されたことを通知する通知情報を表示する。例えば、空気調和機１ａ、１ｂが属する住居Ａに対応するグループから空調情報が供給された場合、図７（ｂ）に示すように、空気調和機１ａ、１ｂが属するグループに対応するログインＩＤ「０００１」の表示位置（より詳しくはログインＩＤの右横）に、空調情報が供給されたことを通知する通知情報「（Ｎ）」を表示する。
【００５４】
操作検知部４４は、例えばユーザが表示画面５１上に表示された操作部に触れてログインＩＤの選択を行った場合に、その操作を検知する。位置情報取得部４５は、例えばＧＰＳ衛星からの電波に基づいて、ユーザの現在位置を例えば所定時間毎に取得する。取得されたユーザの現在位置情報は、記憶部４１に記憶される。
【００５５】
＜表示画面５１に表示される表示内容＞
次に、図５−図１０を参照しつつ表示画面５１に表示される表示内容について説明する。
【００５６】
まず、図５を参照して空気調和機から空調情報が供給された場合に、表示画面５１に表示されるプレビュー表示について説明する。図５（ａ）では、表示画面５１に端末装置４のメニュー選択画面が表示されている。メニュー選択画面には、端末装置４に内蔵またはダウンロード等された各アプリケーションソフトウェアを起動するためのアイコンが複数表示されている。複数のアイコンのうちアイコン７１は、本発明に対応したアプリケーションソフトウェアを起動するためのアイコンである。そして、端末装置４に登録された複数の空気調和機１ａ−１ｄから端末装置４に空調情報が供給されると、図５（ｂ）に示すように、表示画面５１の中央にプレビュー表示７２が表示される。
【００５７】
このプレビュー表示７２には、空気調和機から空調情報が供給されたことを通知する通知情報７３と、空調情報を供給した空気調和機に対応した空気調和機の識別情報７４と、空調情報の内容７５とが含まれる。図５（ｂ）では、通知情報７３として「エアコンからのお知らせ」と表示されている。したがって、ユーザは、空気調和機から空調情報が供給されたことを知得できる。また、空気調和機の識別情報７４として「リビングエアコン」と表示されている。したがって、ユーザは、端末装置４に登録された複数の空気調和機１ａ−１ｄのうち空気調和機１ａから空調情報が供給されたことを識別できる。また、空調情報の内容７５として「室温が高くなっています。冷房運転を開始してください。」と表示されている、したがって、ユーザは、空調情報が、室内が高温状態や高湿状態であることを示す空調空間情報であることを知得できる。このように、この端末装置４では、空気調和機から空調情報が供給された場合に、空調情報が供給されたことを通知する通知情報７３とともに、空調情報を供給した空気調和機１ａに対応した空気調和機の識別情報７４が表示画面５１に表示されるので、空気調和機から空調情報が供給された場合に、空調情報を供給した空気調和機を識別できる。なお、空気調和機から端末装置４に空調情報が供給されると、図５（ｂ）に示すように、アイコン７１の表示位置（詳しくはアイコン７１の右上）に空調情報が供給されたことを通知する通知情報に対応した画像情報７６（Ｎマーク）が表示される。
【００５８】
ところで、上記のプレビュー表示７２は、「表示」と記載された操作部７７と、「閉じる」と記載された操作部７８とを有する。ユーザが「表示」と記載された操作部７７を選択（タッチ）すると、本発明に対応したアプリケーションソフトウェアが起動され、プレビュー表示７２が消えるとともに、表示画面５１に表示される画面がその起動画面に切り換わる。また、ユーザが「閉じる」と記載された操作部７８を選択（タッチ）すると、プレビュー表示７２が消えて、メニュー選択画面に戻る（ただし、アイコン７１の表示位置に表示された画像情報７６は消えない）。したがって、このプレビュー表示７２は、操作部７７および操作部７８を選択することにより、すぐに消えてしまうため、ユーザが例えば無意識にプレビュー表示７２を消してしまう場合には、ユーザが空気調和機の識別情報７３を見逃してしまうことが考えられる。そこで、この端末装置４では、アプリケーションソフトウェアが起動された後においても、ユーザが空調情報を供給した空気調和機を識別できるようになっている。以下、本発明に対応したアプリケーションソフトウェアが起動された後の表示内容について説明する。
【００５９】
本発明に対応したアプリケーションソフトウェアは、プレビュー表示７２内の「表示」と記載された操作部７７を選択（タッチ）することで起動される。また、ユーザがプレビュー表示７２を閉じた場合でも、アイコン７１を選択（タッチ）することで起動される。なお、この端末装置４では、ユーザの現在位置によってアプリケーションソフトウェアが起動された後の画面が異なる。まず、ユーザの現在位置が例えば室外など空気調和機１ａ−１ｄが配置される範囲から所定以上離れている場合について説明する。
【００６０】
図６（ａ）では、空気調和機から端末装置４に空調情報が供給されて、表示画面５１の中央にプレビュー表示７２が表示された状態を示している。そして、ユーザの現在位置が例えば室外である場合において、図６（ｂ）に示すように、ユーザが「表示」と記載された操作部７７を選択（タッチ）すると、本発明に対応したアプリケーションソフトウェアが起動される。すると、図６（ｃ）に示すように、表示画面５１にグループの識別情報（ログインＩＤ）を選択するログイン画面が表示される。このログイン画面には、ログインＩＤを選択操作する操作部７９などが設けられる。
【００６１】
その後、図７（ａ）に示すように、ユーザが操作部７９の一覧表示部７９ａを選択（タッチ）すると、図７（ｂ）に示すように、複数のログインＩＤ（グループの識別情報）の全てが、表示画面５１に一覧表示される。そして、複数のログインＩＤのうち空調情報を供給した空気調和機が属するグループに対応したログインＩＤの表示位置（詳しくは、ログインＩＤの右横）には、空気調和機から空調情報が供給されたことを通知する通知情報（「（Ｎ）」）が表示される。例えば図７（ｂ）では、ログインＩＤ「０００１」の表示位置に、通知情報「（Ｎ）」が表示されている。すなわち、ログインＩＤ「０００１」に対応したグループ（Ａ宅に対応したグループ）に属する空気調和機１ａ、１ｂの少なくとも１つから端末装置４に空調情報が供給されたことが分かる。したがって、空気調和機から空調情報が供給された場合に、空調情報を供給した空気調和機が属するグループを識別できる。
【００６２】
次に図８を参照して、ログインＩＤがログインＩＤに対応する操作部によって操作された場合の表示内容について説明する。図８（ａ）では、複数のログインＩＤ（グループの識別情報）の全てが、表示画面５１に一覧表示されている。ログインＩＤが表示される部分は、それぞれのログインＩＤに対応した操作部８０−８２となっており、ユーザが選択可能である。そして、図８（ｂ）に示すように、ユーザが、ログインＩＤ「０００１」が表示された操作部８０を選択（タッチ）すると、図８（ｃ）に示すように、ログインＩＤ「０００１」に対応するグループに属する空気調和機１ａ、１ｂの識別情報（ビジュアルアイコン）の全てが表示画面５１に表示される。そして、表示画面５１に表示された複数のビジュアルアイコンのうち空調情報を供給した空気調和機１ａに対応したビジュアルアイコンの表示位置（詳しくはビジュアルアイコンの右上）に、空調情報が供給されたことを通知する通知情報（第２画像情報（Ｎマーク））が表示される。例えば、図８（ｃ）では、ログインＩＤ「０００１」に対応したグループ（Ａ宅に対応したグループ）に属する空気調和機１ａ、１ｂのうち空気調和機１ａから空調情報が供給されたことが分かる。したがって、ユーザは、ログインＩＤ「０００１」に対応する操作部８０を操作することによって、ログインＩＤ「０００１」に属する２つの空気調和機１ａ、１ｂのどちらから空調情報が供給されたか識別できる。
【００６３】
このように、この端末装置４では、ログインＩＤに対応する操作部が選択されることによって、そのログインＩＤに対応するグループに属する空気調和機のうちのどの空気調和機から空調情報が供給されたか識別できる。例えば、ログインＩＤ「０００１」には、２つの空気調和機１ａ、１ｂが属するので、図７（ｂ）に示すように、ログインＩＤ「０００１」の表示位置に通知情報「（Ｎ）」が表示されただけでは、２つの空気調和機１ａ、１ｂのどちらから空調情報が供給されたか識別できないが、その後、ユーザがログインＩＤ「０００１」に対応する操作部を選択することで、そのログインＩＤ「０００１」に対応するグループに属する２つの空気調和機１ａ、１ｂのどちらから空調情報が供給されたか容易に識別できるようになる。
【００６４】
次に、図９を参照して空調情報の内容の確認操作および端末装置４での空気調和機の運転設定の変更操作を説明する。図９（ａ）では、ログインＩＤ「０００１」に属する２つの空気調和機１ａ、１ｂに対応した空気調和機の識別情報がビジュアルアイコンとして表示されている。空調情報を供給する空気調和機１ａに対応するビジュアルアイコンの表示位置には、空気調和機１ａから空調情報が供給されたことを通知する通知情報（Ｎマーク）が表示されている。図９（ｂ）に示すように、ユーザが空気調和機１ａに対応するビジュアルアイコンを選択（タッチ）すると、図９（ｃ）に示すように、空調情報の内容９１と運転設定の表示変更画面９２とが表示画面５１に表示される。例えば図９（ｃ）では、空調情報の内容９１として「室温が高くなっています。冷房運転を開始してください。」と表示されている。また、運転設定の表示変更画面９２を操作することで、運転開始、運転停止、運転モードの変更、設定温度の変更および設定湿度の変更などが可能である。したがって、ユーザは、ビジュアルアイコンを選択（タッチ）することで、空調情報の内容が確認できるとともに、運転設定の変更を行うことができる。なお、ユーザが、通知情報が表示されていないビジュアルアイコンを選択した場合でも、運転設定の表示変更画面が表示され、運転設定の変更を行うことができる。
【００６５】
次に、図１０を参照してユーザの現在位置が例えば住居Ａ−Ｃなど空気調和機１ａ−１ｄが配置される範囲から所定距離未満にいる場合について説明する。図１０（ａ）では、空気調和機から端末装置４に空調情報が供給されて、表示画面５１の中央にプレビュー表示７２が表示された状態を示している。そして、例えばユーザの現在位置が住居Ａ内である場合において、図１０（ｂ）に示すように、「表示」と記載された操作部７７が選択されると、ユーザが室外など空気調和機１ａ−１ｄが配置される範囲から所定以上離れている場合とは異なり、図１０（ｃ）に示すように、表示画面５１に住居Ａに対応するグループに属する空気調和機１ａ、１ｂのビジュアルアイコンが表示される。また、空調情報を供給する空気調和機１ａに対応するビジュアルアイコンの表示位置には、空気調和機１ａから空調情報が供給されたことを通知する通知情報（Ｎマーク）が表示されている。ここで、図１０（ｃ）に示す画面は、図９（ａ）に示す画面と同じである。したがって、ユーザが図１０（ｃ）に示す画面において、空気調和機１ａに対応するビジュアルアイコンを選択（タッチ）すると、図９（ｃ）に示すように、空調情報の内容９１と運転設定の表示変更画面９２とが表示画面５１に表示される。なお、例えばユーザの現在位置が住居Ｂ内である場合において、図１０（ｂ）に示すように、「表示」と記載された操作部７７が選択されると、表示画面５１には住居Ｂに対応するグループに属する空気調和機１ｃのビジュアルアイコンが表示される。また、例えばユーザの現在位置が住居Ｃ内である場合において、図１０（ｂ）に示すように、「表示」と記載された操作部７７が選択されると、表示画面５１には住居Ｃに対応するグループに属する空気調和機１ｄのビジュアルアイコンが表示される。
【００６６】
＜本実施形態の端末装置及びプログラムの特徴＞
本実施形態の端末装置及びプログラムには、以下の特徴がある。
【００６７】
本実施形態の端末装置４及びプログラムでは、複数の空気調和機１ａ−１ｄが端末装置４に登録されている場合において、例えば空気調和機１ａから空調情報が供給された場合に、図５（ｂ）に示すように、空調情報を供給した空気調和機１ａに対応した空気調和機の識別情報７４が、空調情報が供給されたことを通知する通知情報７３とともに表示画面５１に表示されるので、空気調和機から空調情報が供給された場合に、空調情報を供給した空気調和機を識別できる。
【００６８】
また、本実施形態の端末装置４では、例えば図８（ｃ）に示すように、複数の空気調和機の識別情報がビジュアルアイコン（第１画像情報）として一覧表示されるとともに、例えば空気調和機１ａから空調情報が供給された場合に、空調情報を供給した空気調和機１ａに対応したビジュアルアイコンの表示位置に通知情報に対応した画像情報（第２画像情報「Ｎマーク」）が表示されるので、空調情報を供給した空気調和機を識別しやすい。
【００６９】
また、本実施形態の端末装置４及びプログラムでは、複数の空気調和機１ａ−１ｄが属する複数のグループが登録されている場合において、例えば空気調和機１ａから空調情報が供給された場合に、図７（ｃ）に示すように、空調情報を供給した空気調和機１ａが属するグループに対応したグループの識別情報（ログインＩＤ「０００１」）が、空調情報が供給されたことを通知する通知情報（「Ｎ」）とともに表示画面５１に表示されるので、空気調和機から空調情報が供給された場合に、空調情報を供給した空気調和機が属するグループを識別できる。
【００７０】
また、本実施形態の端末装置４では、例えば図７（ｃ）に示すように、複数のグループの識別情報（ログインＩＤ）が一覧表示されるとともに、例えば空気調和機１ａから空調情報が供給された場合に、空調情報を供給した空気調和機１ａが属するグループの識別情報（ログインＩＤ「０００１」）の表示位置に通知情報「（Ｎ）」が表示されるので、空調情報を供給した空気調和機が属するグループを識別しやすい。
【００７１】
また、本実施形態の端末装置４では、図８（ｂ）に示すように、例えば空気調和機１ａから空調情報が供給された場合に、空調情報を供給した空気調和機１ａが属するグループの識別情報（ログインＩＤ「０００１」）に対応した操作部８０が操作（タッチ）されることによって、図８（ｃ）に示すように、そのグループに属する空気調和機１ａ、１ｂの識別情報がビジュアルアイコン（第１画像情報）として一覧表示される。また、空調情報を供給した空気調和機１ａに対応するビジュアルアイコンの表示位置に通知情報（Ｎマーク）が表示される。したがって、グループ内のどの空気調和機から空調情報が供給されたか識別できる。
【００７２】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００７３】
［第１変形例］
次に、図１１を参照して第１変形例にかかる端末装置について説明する。上記実施形態では、ユーザがプレビュー表示７２内の「表示」と記載された操作部７７を選択（タッチ）すると、図６（ｃ）に示すようにログインＩＤを選択するログイン画面が表示される、または、図１０（ｃ）に示すようにログインＩＤに対応するグループに属する空気調和機の識別情報（ビジュアルアイコン）が表示される。しかし、第１変形例にかかる端末装置では、ユーザがプレビュー表示７２内の「表示」と記載された操作部７７を選択（タッチ）すると、図１１に示すように、端末装置に登録されている空気調和機１ａ−１ｄに対応する空気調和機の識別情報の全てがビジュアルアイコン（第１画像情報）として表示画面５１に表示されるとともに、空調情報を供給した空気調和機のビジュアルアイコンの表示位置に通知情報（Ｎマーク）が表示される。したがって、空気調和機から空調情報が供給された場合に、複数の空気調和機にそれぞれ対応する空気調和機の識別情報の全てが表示画面５１に表示されるので、空調情報を供給した空気調和機を容易に識別できる。
【００７４】
［第２変形例］
次に、図１２を参照して第２変形例にかかる端末装置について説明する。上記第１変形例では、図１１に示すように、端末装置に登録されている空気調和機１ａ−１ｄに対応する空気調和機の識別情報の全てがビジュアルアイコン（第１画像情報）として表示画面５１に表示されるとともに、空調情報を供給した空気調和機のビジュアルアイコンの表示位置に通知情報（Ｎマーク）が表示される。しかし、第２変形例にかかる端末装置では、図１２に示すように、ユーザがプレビュー表示７２内の「表示」と記載された操作部７７を選択（タッチ）した場合に、端末装置に登録されている空気調和機１ａ−１ｄにそれぞれ対応する空気調和機の識別情報の全てが文字情報として表示画面５１に表示されるとともに、空調情報を供給した空気調和機の識別情報の表示位置（詳しくは、識別情報の右横）に通知情報（「Ｎ」）が表示される。
【００７５】
［その他変形例］
上記実施形態では、空気調和機から空調情報が供給された場合、図５（ｃ）に示すように、プレビュー表示７２に空調情報が供給されたことを通知する通知情報７３と、空調情報を供給した空気調和機に対応した空気調和機の識別情報７４を表示するとともに、図８（ｃ）に示すように、本発明に対応したアプリケーションソフトウェアが起動された後の画面にも、空調情報が供給されたことを通知する通知情報（Ｎマーク）と、空調情報を供給した空気調和機に対応した空気調和機の識別情報（ビジュアルアイコン）を表示した。しかし、この通知情報及び空気調和機の識別情報は、プレビュー表示７２にのみ表示してもよいし、アプリケーションソフトウェアが起動された後の画面にのみ表示してもよい。
【００７６】
また、上記実施形態では、空気調和機から空調情報が供給された場合、プレビュー表示７２には、空調情報を供給した空気調和機に対応した空気調和機が属するグループの識別情報（ログインＩＤ）を表示せずに、図７（ｃ）に示すように、本発明に対応したアプリケーションソフトウェアが起動された後の画面にのみ空調情報を供給した空気調和機に対応した空気調和機が属するグループの識別情報（ログインＩＤ）を表示した。しかし、このグループの識別情報（ログインＩＤ）は、プレビュー表示７２に表示してもよい。
【００７７】
また、上記実施形態では、空調情報を供給した空気調和機に対応した空気調和機の識別情報と、空調情報を供給した空気調和機が属するグループに対応したグループの識別情報とが同時に表示されることがないが、同時に表示されてもよい。
【００７８】
また、上記実施形態では、端末装置４の制御部４０が位置情報取得部４５を有し、ユーザの現在位置によって、プレビュー表示７２内の「表示」と記載された操作部７７が選択された後の画面が異なるが、端末装置４の制御部４０が位置情報取得部４５を有しておらず、プレビュー表示７２内の「表示」と記載された操作部７７が選択された後の画面がユーザの現在位置にかかわらず常に同じであってもよい。
【００７９】
また、上記実施形態では、図７（ｂ）に示すように、複数のグループの識別情報（ログインＩＤ）の全てが表示画面５１に表示されるが、全てが表示される必要はなく、複数のグループの識別情報の少なくとも２つが表示されてもよい。
【００８０】
また、上記実施形態では、例えば図８（ｃ）に示すように、グループの識別情報（ログインＩＤ）に対応する操作部が選択されると、そのグループの識別情報（ログインＩＤ）に対応するグループに属する空気調和機の識別情報の全てが表示されるが、全てが表示される必要はなく、複数の空気調和機の識別情報の少なくとも２つが表示されてもよい。
【００８１】
また、上記第１変形例および第２変形例では、図１１および図１２に示すように、複数の空気調和機１ａ−１ｄにそれぞれ対応する複数の空気調和機の識別情報の全てが表示画面５１に表示されるが、全てが表示される必要はなく、複数のグループの識別情報の少なくとも２つが表示されてもよい。
【００８２】
また、上記実施形態では、空調情報が供給されたことを通知する通知情報として、「エアコンからのお知らせ」というフレーズや、「（Ｎ）」記号、Ｎマークなどを挙げたが、これに限られない。したがって、その他のフレーズでもよいし、その他の記号・マークでもよい。また、複数の空気調和機の識別情報が表示される場合においては、通知情報は、空気情報を供給した空気調和機に対応した空気調和機の識別情報を、光らせる、点滅させる、色を変える、自体を変える、ビジュアルアイコンのデザインを変えるなど、他の空気調和機の識別情報と区別できるのであれば何でもよい。また、同様に複数のグループの識別情報が表示される場合においては、通知情報は、空気情報を供給した空気調和機が属するグループに対応したグループの識別情報（ログインＩＤ）を、光らせる、点滅させる、色を変える、自体を変える、ビジュアルアイコンのデザインを変えるなど、他の空気調和機の識別情報と区別できるのであれば何でもよい。
【００８３】
また、上記実施形態では、グループの識別情報を文字情報として表示したが、グループの識別情報を画像情報（ビジュアルアイコン）として表示してもよい。
【００８４】
また、上記実施形態では、空調情報として、室内が高温状態や高湿状態であることを示す空調空間情報、室内が高温状態や高湿状態でなくなったことを示す解除情報、室内に人がいないことを示す不在情報を例に挙げたが、空調情報はこれに限られるものではなく、空気調和機が配置される空調空間や空気調和機などについての様々な情報が含まれる。
【００８５】
また、上記実施形態では、空気調和機から空調情報が供給された場合にプレビュー表示がされるが、プレビュー表示はされなくてもよい。
【００８６】
また、上記実施形態では、端末装置４に複数の空気調和機を登録する際に、複数の空気調和機を１または複数のグループに分類しているが、グループの分類はなくてもよい。
【００８７】
また、上記実施形態では、図８に示すように、グループの識別情報（ログインＩＤ）に対応する操作部が操作されることによって、そのグループの識別情報（ログインＩＤ）に対応するグループに属する空気調和機の識別情報が表示されるとともに、空調情報を供給した空気調和機に対応した空気調和機の識別情報の表示位置に空調情報が供給されたことを通知する通知情報が表示される。しかし、グループの識別情報（ログインＩＤ）に対応する操作部はなくてもよい。したがって、端末装置が、空調情報を供給した空気調和機が属するグループが識別できるだけで、空調情報を供給した空気調和機までは識別できなくてもよい。
【産業上の利用可能性】
【００８８】
本発明を利用すれば、空気調和機から空調情報が供給された場合に、空調情報を供給した空気調和機を識別できる。また、空気調和機から空調情報が供給された場合に、空調情報を供給した空気調和機が属するグループを識別できる。
【符号の説明】
【００８９】
１ａ−１ｄ  空気調和機
４  端末装置
４１  記憶部（記憶手段、第１記憶手段、第２記憶手段）
４２  選択部（選択手段、第１選択手段、第２選択手段）
４３  表示部（表示手段）
５１  表示画面
７３  通知情報
７４  空気調和機の識別情報
【図１】
2015075307.tif 000003
【図２】
2015075307.tif 000004
【図３】
2015075307.tif 000005
【図４】
2015075307.tif 000006
【図５】
2015075307.tif 000007
【図６】
2015075307.tif 000008
【図７】
2015075307.tif 000009
【図８】
2015075307.tif 000010
【図９】
2015075307.tif 000011
【図１０】
2015075307.tif 000012
【図１１】
2015075307.tif 000013
【図１２】
2015075307.tif 000014